(57)【要約】【課題】  従来の充電器等のＡＣプラグの位置が機器に固定されておりＡＣコンセントの位置によって、接続し難いものや別に延長のケーブルを使って接続するといった不具合、国ごとに形状が異なる等といった不具合の解決を目的とする。【解決手段】  ＡＣコンセントへの接続部に回転、移動およびその双方を可能とする構造を持ち、ＡＣプラグを収納可能とすること、また専用のＡＣプラグ保持部を接続可能とし使い勝手を向上する手段を有する。本発明によるＡＣ機器によれば、ＡＣプラグ保持部の向きや位置を自由に回転、移動出来る手段を有し、ＡＣコンセントの位置によらず接続が可能となることや、ＡＣ機器をＡＣコンセントに接続することで隣接するコンセントを塞いでしまうといった不具合も解消でき、各国ごとのコンセント形状に拠らずより使い勝手の高いＡＣ機器を提供することが出来る。【選択図】        図４
2006114282.tif 000002
【特許請求の範囲】
【請求項１】
ＡＣコンセントに接続可能な機器であって、ＡＣコンセントへの接続部が回転可能な構造で、いかなる位置であっても接続される構造を持ち、ＡＣコンセントの位置に関わらず接続が可能であるＡＣコンセントへの接続構造を有することを特徴とするＡＣ機器。
【請求項２】
ＡＣコンセントに接続可能な機器であって、ＡＣコンセントへの接続部が移動可能な構造で、いかなる位置であっても接続される構造を持ち、ＡＣコンセントの位置に関わらず接続が可能であるＡＣコンセントへの接続構造を有することを特徴とするＡＣ機器。
【請求項３】
ＡＣコンセントに接続可能な機器であって、ＡＣコンセントへの接続部が回転並びに移動可能な構造で、いかなる位置であっても接続される構造を持ち、ＡＣコンセントの位置に関わらず接続が可能であるＡＣコンセントへの接続構造を有することを特徴とするＡＣ機器。
【請求項４】
該接続用の歯部が折りたたみ収納可能であるＡＣコンセントへの接続構造を有することを特徴とする請求項１乃至３いずれか記載のＡＣ機器。
【請求項５】
該接続用の歯部が分離可能な構造であるＡＣコンセントへの接続構造を有することを特徴とする請求項１乃至３いずれか記載のＡＣ機器。
【発明の詳細な説明】
【技術分野】
【０００１】
本発明は、ＡＣコンセントへの接続構造を備えたＡＣ機器に関するものである。
【背景技術】
【０００２】
従来の充電器等ＡＣコンセントに接続し使用する機器においてはＡＣプラグの位置が機器に固定されておりＡＣコンセントの位置によって、接続し難いものや別に延長のケーブルを使って接続するといった不具合があった。
【０００３】
また、国ごとにＡＣコンセントの形状が異なり変換用のアダプタを使用しＡＣコンセントに接続する方法が有ったが、充電器などに更に変化用アダプタを付ける為かさばる、複雑な構造になるといった不具合があった。
【０００４】
これらを解決する為に専用のプラグの形状アダプタを交換して使用する構造をとり小型化した電源装置がある（特許文献１参照）。
【０００５】
また、ＡＣ栓刃を３種類以上備え、ＡＣアダプタ本体と係合され、係合部を軸として３６０度回動し、３ヶ国以上で使用可能なＡＣアダプタを提供できるものがある（特許文献２参照）。
【０００６】
しかしながらいずれも、位置が固定されている不具合が解消されていなかった。
【０００７】
本発明による機器によれば、ＡＣコンセントへの接続部を回転、移動又はその両方を可能とし回転や移動を行っても機器と電源が絶えることなく接続を維持する構造を持ち、機器と電源の位置に制約が無く、さらにＡＣプラグ形状を各国の形状に対応させることでより使い勝手の良い機器とすることが可能となる。
【特許文献１】特開平７−２６４８５５号公報
【特許文献２】特開２００３−１７１７５号公報
【発明の開示】
【発明が解決しようとする課題】
【０００８】
従来の充電器等ＡＣコンセントに接続し使用するＡＣ機器においてはＡＣプラグの位置が機器に固定されておりＡＣコンセントの位置によって、接続し難いものや別に延長のケーブルを使って接続するといった不具合や国ごとにＡＣコンセントの形状が異なるために煩雑であるといった不具合があった。
【０００９】
これらを解決する為に専用のプラグの形状アダプタを交換して使用する機器やＡＣ栓刃を複数種類以上備え、各国で使用可能なＡＣアダプタなどがあった。
【００１０】
しかしながらいずれも、位置が固定されている不具合が解消されていない。
【００１１】
本発明は、前記従来の問題に鑑み、ＡＣコンセントへの接続部を回転、移動又はその両方を可能とし回転や移動を行っても機器と電源が絶えることなく接続を維持する構造を持ち、機器と電源の位置に制約が無くより使い勝手の良いＡＣ機器を提供することを目的とする。
【課題を解決するための手段】
【００１２】
前記目的を達成するために、本発明によるＡＣ機器には
ＡＣコンセントへの接続部に回転、移動およびその双方を可能とする構造を持ち、
ＡＣプラグを収納可能とすること、また専用のＡＣプラグ保持部を接続可能とし使い勝手を向上する手段を有する。
【００１３】
本発明によるＡＣ機器によれば、ＡＣプラグ保持部の向きや位置を自由に回転、移動出来る手段を有し、ＡＣコンセントの位置によらず接続が可能となることや、ＡＣ機器をＡＣコンセントに接続することで隣接するコンセントを塞いでしまうといった不具合も解消でき、各国ごとのコンセント形状に拠らずより使い勝手の高いＡＣ機器を提供することが出来る。
【００１４】
なお、さらに説明すれば、本発明の第一の発明について下記のように示す。
【００１５】
（１）ＡＣコンセントに接続可能な機器であって、ＡＣコンセントへの接続部が回転可能な構造で、いかなる位置であっても接続される構造を持ち、ＡＣコンセントの位置に関わらず接続が可能であるＡＣコンセントへの接続構造を有することを特徴とするＡＣ機器。
【発明の効果】
【００１６】
本発明に拠れば、
従来の充電器等ＡＣコンセントに接続し使用するＡＣ機器において、ＡＣプラグの位置が機器に固定されておりＡＣコンセントの位置によって、接続し難いといったこと、それらの解決に別に延長のケーブルを使うといった不具合、国ごとにＡＣコンセントの形状が異なるために煩雑であるといった不具合また専用のプラグの形状アダプタを交換して使用する機器やＡＣ栓刃を複数種類以上備え、各国で使用可能なＡＣアダプタなどがあったが、位置が固定されている不具合が解消されないという不具合があった。
【００１７】
本発明は、上記従来の問題に鑑み、ＡＣコンセントへの接続部を回転、移動又はその両方を可能とし回転や移動を行っても機器と電源が絶えることなく接続を維持する構造を持ち、機器と電源の位置に制約が無くより使い勝手の良い機器とすること等が可能となる。
【発明を実施するための最良の形態】
【００１８】
以下本発明を実施するための最良の形態を、実施例により詳しく説明する。
【実施例１】
【００１９】
図１、は従来の充電器とＡＣコンセントを示す図であり、充電器１をＡＣコンセント２のコンセント３ａ、３ｂに接続し使用する。
【００２０】
図２は図１を反対側から見た図であり、充電器１には固定されたＡＣプラグ４を有する。
【００２１】
図３は側面からの図であり、充電器１のＡＣプラグ４が固定されている為３ａに接続すると３ｂは使用できなくなる。
【００２２】
図４は本実施例の概略を示す図であり、充電器４０には回転可能なＡＣプラグ保持部４１を有する。
【００２３】
図５、６は本実施例の断面を示す図である。充電器４０の外装とは別の部材でＡＣプラグ保持部４１は構成されており、ＡＣプラグ保持部４１は栓刃４２、モールド部４３、接点部４４，４５で構成され充電器４０に挿入され取り付けられており、充電器４０に壁４６を有し、回転可能となっている。
【００２４】
図７は充電器４０の基板７１を示す図であり、接点部４４、４５に対応した接点部７２と７３を有する。接点部７２はＡＣプラグ保持部４１の中心にあった位置とし、接点部７３は円周上に一周つながった形状とすることで、ＡＣプラグ保持部４１が回転し，どの位置であっても接続した状態を維持できる。
【００２５】
図８は充電器４０とＡＣプラグ保持部４１を内側から見た図で充電器の壁部４６に凹部８１を、ＡＣプラグ保持部４１に凸部８２を設けることで軽勘合させ位置を固定できる。
【００２６】
このように、ＡＣプラグ保持部４１を回転可能とする構造を持つことでより使い勝手の良い充電器とすることが可能となる。また、本実施例では凹部８２を４５度間隔に設定してあるが、それにとらわれることなくいずれの角度であっても良い。さらに凹凸関係は逆であっても良い。また、ＡＣプラグ保持部４１を３６０度回転可能として説明したが、上下左右が対象のＡＣプラグ保持部４１の場合は最低９０度の範囲で回転であっても同様の効果が得られる。
【実施例２】
【００２７】
図９は従来の充電器１とＡＣコンセント２の外観を示す図であり、実施例１同様に充電器１をＡＣコンセント２のコンセント３ａ、３ｂに接続し使用する。
【００２８】
図１０は図９を反対側から見た図であり、充電器１には固定されたＡＣプラグ４を有する。実施例１同様充電器１とＡＣコンセント２の接続時の位置関係は固定されている。
【００２９】
図１１は従来の充電器１とＡＣコンセント２を背面から見た図であり、充電器１のＡＣプラグ４が固定されている為、本実施例では３ａに充電器１を接続すると、他の機器、たとえばもう一つ同じ充電器１を接続しようとする場合に３ｂへの接続ができなくなる。
【００３０】
図１２は本実施例の外観を示す図であり、充電器１２１には移動可能なＡＣプラグ保持部１２２を有する。
【００３１】
図１３、１４は本実施例の断面を示す図である。充電器１２１の外装とは別の部材でＡＣプラグ保持部１２２が構成されており、ＡＣプラグ保持部１２２は栓刃１２３、モールド部１２４で構成され充電器１２１に挿入され、充電器１２１の固定部１２７にて移動可能に固定されている。
【００３２】
図１５は充電器１２１とＡＣプラグ保持部１２２の内部を示す図で充電器の壁部１２７に凹部１５１を、ＡＣプラグ保持部１２２に凸部１５２を設けることで軽勘合させ位置を固定できる。さらにこの凹部１５１と凸部１５２は接点を持ち凹凸の勘合した位置で固定されたときのみ接続できるようになっている。
【００３３】
このように、ＡＣプラグ保持部１２２を移動可能とする構造を持つことでより使い勝手の良い充電器とすることが可能となる。また、本実施例では凹部を５箇所に設定してあるが、それにとらわれることなくいずれの数であっても良い。さらに凹凸関係は逆であっても良い。また、凹凸部が勘合したときのみ導通することを説明してきたが凹部以外でも接続を維持する構造も同様に出来る。ＡＣプラグ保持部１２２を一方向に移動可能として説明したが、二方向であっても同様の効果が得られる。
【実施例３】
【００３４】
図１６は本実施例の外観を示す図であり、充電器１６１には回転可能なＡＣプラグ保持部１６２を持ち、更にＡＣプラグ保持部１６２には移動可能なＡＣプラグ保持部１６３を有する。
【００３５】
図１７は充電器１６１とＡＣプラグ保持部１６２の内部を示す図であり、ＡＣプラグ保持部１６２は実施例１で述べたＡＣプラグ保持部４１と同じ構成を持ち回転が可能であり、回転してどの位置であってもＡＣコンセントの電源の接続が維持される。
【００３６】
図１８は充電器１６１のＡＣプラグ保持部１６３を示す図であり、ＡＣプラグ保持部１６２には実施例２で述べたＡＣプラグ保持部１２２と同様の構造を持ち、ＡＣプラグ保持部１６３が移動可能となる。
【００３７】
このように、ＡＣプラグ保持部１６２を回転可能とし更にＡＣプラグ保持部１６３を移動可能とする構造を持つことでより使い勝手の良い充電器とすることが可能となる。
【実施例４】
【００３８】
図１９は本実施例の外観を示す図であり、充電器１９１には回転可能なＡＣプラグ保持部１９２を持ち、更にＡＣプラグ保持部１９２には着脱可能なＡＣプラグ保持部１９３を有する。ＡＣプラグ保持部にはツマミ部１９４ａと１９４ｂを設けており、ツマミ部１９４ａと１９４ｂを動かし爪１９５ａと１９５ｂのロック／アンロックが可能となる。本図では、装着時の状態と分離時の状態の説明の為同じ形状のＡＣプラグ保持部１９３を記載している。ＡＣプラグ保持部１９２は実施例１で述べたＡＣプラグ保持部４１と同じ構成を持ち回転が可能であり、回転してどの位置であってもＡＣコンセントの電源の接続が維持される。
【００３９】
このように、ＡＣプラグ保持部１９２を回転可能とし更にＡＣプラグ保持部１９３を着脱可能とする構造を持つことで、図示しない各国毎のＡＣプラグ保持部を設ける事でより使い勝手の良い充電器とすることが可能となる。
【図面の簡単な説明】
【００４０】
【図１】従来の充電器とＡＣコンセントの外観を示す図
【図２】図１を反対側から見た図
【図３】従来の充電器とＡＣコンセントの側面からの図
【図４】実施例１の概略を示す図
【図５】実施例１の断面を示す図
【図６】実施例１の断面を示す図
【図７】基板を示す図
【図８】実施例１の充電器を内側から見た図
【図９】従来の充電器とＡＣコンセントの外観を示す図
【図１０】図９を反対側から見た図
【図１１】従来の充電器とＡＣコンセントを背面から見た図
【図１２】実施例２の外観を示す図
【図１３】実施例２の断面を示す図
【図１４】実施例２の断面を示す図
【図１５】実施例２の充電器の内部を示す図
【図１６】実施例３の外観を示す図
【図１７】実施例３の充電器の内部を示す図
【図１８】実施例３の充電器のＡＣプラグ保持部を示す図
【図１９】実施例４の外観を示す図
【符号の説明】
【００４１】
１  充電器
２  ＡＣコンセント
３ａ  コンセント
３ｂ  コンセント
４  ＡＣプラグ
４０  充電器
４１  ＡＣプラグ保持部
４２  栓刃
４３  モールド部
４４  接点部
４５  接点部
４６  壁
７２  接点部
７３  接点部
８１  凹部
８２  凸部
１２１  充電器
１２２  ＡＣプラグ保持部
１２３  栓刃
１２４  モールド部
１２７  固定部
１５１  凹部
１５２  凸部
１６１  充電器
１６２  ＡＣプラグ保持部
１６３  ＡＣプラグ保持部
１９１  充電器
１９２  ＡＣプラグ保持部
１９３  ＡＣプラグ保持部
１９４ａ  ツマミ部
１９４ｂ  ツマミ部
１９５ａ  爪
１９５ｂ  爪
【図１】
2006114282.tif 000003
【図２】
2006114282.tif 000004
【図３】
2006114282.tif 000005
【図４】
2006114282.tif 000006
【図５】
2006114282.tif 000007
【図６】
2006114282.tif 000008
【図７】
2006114282.tif 000009
【図８】
2006114282.tif 000010
【図９】
2006114282.tif 000011
【図１０】
2006114282.tif 000012
【図１１】
2006114282.tif 000013
【図１２】
2006114282.tif 000014
【図１３】
2006114282.tif 000015
【図１４】
2006114282.tif 000016
【図１５】
2006114282.tif 000017
【図１６】
2006114282.tif 000018
【図１７】
2006114282.tif 000019
【図１８】
2006114282.tif 000020
【図１９】
2006114282.tif 000021